(57)【要約】【課題】本発明の目的は、打設中の生コンクリートの打設高さを容易に測定でき、現場が水で満たされている場合も利用可能なコンクリート打設高さ測定装置を提供する。【解決手段】  コンクリート打設高さ測定装置１は、ペアの電線からなる高さ検知ケーブル２、それを流れる電流を測定する電流測定器３１、測定データ送信するデータ送信機３４等からなる。高さ検知ケーブル２の一方の導線は、直列で接続された複数の抵抗器と、生コンクリートの液圧で電線を短絡させる短絡手段を有する。高さ検知ケーブル２は、コンクリート打設現場で鉄筋等にそって配置され、生コンクリートが打設されるとき、その液圧で、短絡手段がペアの電線を短絡させる。電流測定器３１はペアの電線を流れる電流を測定して、打設コンクリートの高さを求める。【選択図】      図１
2018040681.tif 000002
【特許請求の範囲】
【請求項１】
コンクリート打設現場に設置され、打設される生コンクリートの高さを測定するためのコンクリート打設高さ測定装置において、
直列で接続された複数の抵抗（Ｒ１〜Ｒｎ）、各々の前記抵抗の間を接続した第１電線（２５）、前記第１電線（２５）と平行に配置された第２電線（２４）、前記抵抗及び前記第１電線（２５）と前記第２電線（２４）間を被覆した被覆手段（４０）、及び、生コンクリートの液圧で前記第１電線（２５）と前記第２電線（２４）を短絡させるための複数の短絡手段（２１，２６）を備えた高さ検知ケーブル（２）、
前記高さ検知ケーブル（２）に電圧を印加して流れる電流を測定する電流測定手段（３）、及び、
前記電流測定手段（３）で測定された測定信号を送信する通信手段（３）
からなることを特徴とするコンクリート打設高さ測定装置。
【請求項２】
請求項１に記載のコンクリート打設高さ測定装置において、
前記短絡手段（２１，２６）は、（ａ）外部から押し込まれると前記被覆手段（４０，４２）内へ入り込むもので、前記被覆手段（４０，４２）に突出した頭部（４１，４１ａ）と、（ｂ）前記頭部（４１，４１ａ）が押し込まれると前記第１電線（２５）を前記第２電線（２４）に接触させて短絡させるためのもので、前記第１電線（２５）に接触して配置された底部（４５）からなる短絡用部材（２１）からなる
ことを特徴とするコンクリート打設高さ測定装置。
【請求項３】
請求項１に記載のコンクリート打設高さ測定装置において、
前記短絡手段（２１，２６）は、（ｃ）外部から押し込まれると前記被覆手段（４０，４２）内へ入り込むもので、前記被覆手段（４０，４２）に突出した頭部（４１）と、（ｄ）前記頭部（４１）が押し込まれると、凸部（４３）が前記被覆手段（４０）に設けた凹部（４４）に入ってロックされて、かつ、前記第１電線（２５）を前記第２電線（２４）に接触させて短絡させるためのもので、前記第１電線（２５）に接触して配置された前記凸部（４３）を有する底部（４５）からなる短絡用部材（２１）からなる
ことを特徴とするコンクリート打設高さ測定装置。
【請求項４】
請求項１乃至３の中から選択される１項に記載のコンクリート打設高さ測定装置において、
前記被覆手段（４０，４２）は防水材料からなる
ことを特徴とするコンクリート打設高さ測定装置。
【請求項５】
請求項１乃至３の中から選択される１項に記載のコンクリート打設高さ測定装置において、
前記高さ検知ケーブル（２）は、前記コンクリート打設現場の鉄筋に沿って垂直に設置されている
ことを特徴とするコンクリート打設高さ測定装置。
【請求項６】
請求項１乃至３の中から選択される１項に記載のコンクリート打設高さ測定装置において、
前記測定信号を受信し、前記測定信号から前記コンクリート打設の高さを計算し、表示器に表示するための計算手段（４，７，８）を備えている
ことを特徴とするコンクリート打設高さ測定装置。
【発明の詳細な説明】
【技術分野】
【０００１】
本発明は、コンクリート打設中の生コンクリートの高さ及び充填を確認するための測定装置に関する。詳しくは、生コンクリートを打設しながらその高さ及び充填を確認するコンクリート打設高さ測定装置に関する。
【背景技術】
【０００２】
建設現場で、生コンクリートを型枠に流し込んでコンクリート打設を行う。大型建物等の建造物の基礎をコンクリート打設で建造する場合、打設面積が大きくなり、その管理が広範囲になる。生コンクリートは、型枠、その中に設置した鉄筋の中へ流し込む。そして、生コンクリートが横を流れ型枠全体に充填される。しかし、生コンクリートは粘性があるため広範囲に流れることはない。
【０００３】
そのため、型枠内にコンクリートを打設するとき、コンクリートにバイブレータによる振動を与え、締固め作業を行って生コンクリートを打設点から横へ流している。従来のバイブレータによる方法では、生コンクリートが十分に充填しているか否かを確認することができない。コンクリート打設時に型枠に生コンクリートがどの程度充填されたかを確認する技術が多数提案されている。例えば、コンクリート中に埋め込んだ抵抗素子に流れる電流を測定する方法（特許文献１）、光ファイバーを用いる方法（特許文献２）、磁気センサーを用いる方法（特許文献３）等が提案されている。
【０００４】
特に、特許文献１に記載された測定方法は、抵抗素子を用いて生コンクリートの充填度を確認している。詳しくは、コンクリート打設用型枠の内側の所定位置に高抵抗素子を固定する。そして、型枠内へコンクリートを打設するとき、コンクリートの中に高抵抗素子が埋設され、それを流れる打設時の電流を測定して、生コンクリートの充填度を求めている。打設コンクリートの高さを検出するには、打設中の生コンクリートが型枠に充填されて上へ上がって来るとき、埋設された抵抗が下側からコンクリートに押されて短絡していく。この抵抗を有する電線を流れる電流を測定し、測定された電流から打設コンクリートの高さを求めている。
【先行技術文献】
【特許文献】
【０００５】
【特許文献１】特開平６−２２９９５９号公報
【特許文献２】特開平８−１６５６４３号公報
【特許文献３】特開平６−２５７１５２号公報
【発明の概要】
【発明が解決しようとする課題】
【０００６】
しかしながら、特許文献１に記載されたコンクリート打設高さ測定装置は、コンクリート打設現場が水で満たされている場合は使用不可である。特に、場所打ち杭は、杭穴内に水乃至泥水で満たされているので、特許文献１に記載されたような高抵抗素子を利用することが困難である。また、コンクリートを養生するために、コンクリート打設前に散水することがあり、この場合、高抵抗素子が水で短絡するのでその利用が困難である。また、高抵抗素子は、打設中にコンクリートが付着すると抵抗値が変更し、誤測定の原因になる。よって、コンクリート打設現場が水で満たされている場合でも使用できる防水構造のコンクリート打設高さ測定装置が求められている。
【０００７】
本発明の目的は、打設中の生コンクリートの打設高さを容易に測定できるコンクリート打設高さ測定装置を提供する。
本発明の他の目的は、コンクリート打設現場が水で満たされている場合も利用可能なコンクリート打設高さ測定装置を提供する。
【課題を解決するための手段】
【０００８】
本発明の発明１のコンクリート打設高さ測定装置は、
コンクリート打設現場に設置され、打設される生コンクリートの高さを測定するためのコンクリート打設高さ測定装置において、
直列で接続された複数の抵抗（Ｒ１〜Ｒｎ）、各々の前記抵抗の間を接続した第１電線（２５）、前記第１電線（２５）と平行に配置された第２電線（２４）、前記抵抗及び前記第１電線（２５）と前記第２電線（２４）間を被覆した被覆手段（４０）、及び、生コンクリートの液圧で前記第１電線（２５）と前記第２電線（２４）を短絡させるための複数の短絡手段（２１，２６）を備えた高さ検知ケーブル（２）、
前記高さ検知ケーブル（２）に電圧を印加して流れる電流を測定する電流測定手段（３）、及び、
前記電流測定手段（３）で測定された測定信号を送信する通信手段（３）
からなることを特徴とする。
【０００９】
本発明の発明２のコンクリート打設高さ測定装置は、発明１において、
前記短絡手段（２１，２６）は、（ａ）外部から押し込まれると前記被覆手段（４０，４２）内へ入り込むもので、前記被覆手段（４０，４２）に突出した頭部（４１，４１ａ）と、（ｂ）前記頭部（４１，４１ａ）が押し込まれると前記第１電線（２５）を前記第２電線（２４）に接触させて短絡させるためのもので、前記第１電線（２５）に接触して配置された底部（４５）からなる短絡用部材（２１）からなる
ことを特徴とする。
【００１０】
本発明の発明３のコンクリート打設高さ測定装置は、発明１において、
前記短絡手段（２１，２６）は、（ｃ）外部から押し込まれると前記被覆手段（４０，４２）内へ入り込むもので、前記被覆手段（４０，４２）に突出した頭部（４１）と、（ｄ）前記頭部（４１）が押し込まれると、凸部（４３）が前記被覆手段（４０）に設けた凹部（４４）に入ってロックされて、かつ、前記第１電線（２５）を前記第２電線（２４）に接触させて短絡させるためのもので、前記第１電線（２５）に接触して配置された前記凸部（４３）を有する底部（４５）からなる短絡用部材（２１）からなる
ことを特徴とする。
【００１１】
本発明の発明４のコンクリート打設高さ測定装置は、発明１乃至３において、
前記被覆手段（４０，４２）は防水材料からなる
ことを特徴とする。
【００１２】
本発明の発明５のコンクリート打設高さ測定装置は、発明１乃至３において、
前記高さ検知ケーブル（２）は、前記コンクリート打設現場の鉄筋に沿って垂直に設置されている
ことを特徴とする。
【００１３】
本発明の発明６のコンクリート打設高さ測定装置は、発明１乃至３において、
前記測定信号を受信し、前記測定信号から前記コンクリート打設の高さを計算し、表示器に表示するための計算手段（４，７，８）を備えている
ことを特徴とする。
【発明の効果】
【００１４】
本発明によれば、打設中の生コンクリートの打設高さを容易に測定できるコンクリート打設高さ測定装置が提供できた。
また、本発明のコンクリート打設高さ測定装置は、コンクリートの圧力を受けて短絡を行い、防水加工されているセンサーを利用するので、養生目的で散水しても利用可能である。
さらに、本発明のコンクリート打設高さ測定装置は、コンクリート打設現場が水で満たされている場合も利用可能であり、特にコンクリートを養生する目的で散水しても利用可能である。
【図面の簡単な説明】
【００１５】
【図１】図１は、本発明の実施の形態のコンクリート打設高さ測定装置１の運営状況を示す概念図である。
【図２】図２は、本発明の実施の形態の高さ検知ケーブル２を用いてコンクリート打設の高さを検知する原理を示す概念図である。
【図３】図３は、本発明の実施の形態のデータ処理ユニット３の外観の例を示す図である。
【図４】図４は、本発明の実施の形態のコンクリート打設高さ測定装置１の運用状態（場所打ち杭）の一例の概要を示す図である。
【図５】図５は、本発明の実施の形態のコンクリート打設高さ測定装置１の運用状態の概要の他の例の概要を示す図である。
【図６】図６は、本発明の実施の形態の高さ検知ケーブル２の一例を示す図である。
【図７】図７は、本発明の実施の形態の高さ検知ケーブル２の他の例を示す図である。
【発明を実施するための形態】
【００１６】
〔第１の実施の形態〕
以下、本発明の第１の実施の形態のコンクリート打設高さ測定装置を図面を参照しながら説明する。図１は、コンクリート打設高さ測定装置１の概要を示す概念図である。コンクリート打設高さ測定装置１は、高さ検知ケーブル２、データ処理ユニット３等からなる。高さ検知ケーブル２は、場所打杭の鉄筋等に設置され、打設された生コンクリートの高さに応じて流れる電流が変化するものである。
【００１７】
高さ検知ケーブル２は、図中、参照番号２０で示したように内部に電気抵抗器を有するケーブル部と、参照番号２１で示したように外部の機械的圧力でケーブルが短絡するセンサー部からなる。高さ検知ケーブル２は、ケーブル部２０とセンサー部２１が交互になるように複数のケーブル部２０とセンサー部２１を有する。高さ検知ケーブル２は、コンクリート打設される現場の型枠の高さ以上、言い換えると型枠の深さ以上の長さを有する。
【００１８】
高さ検知ケーブル２の終端２２は型枠の底に配置され、高さ検知ケーブル２の先端２３は型枠から出て配置される。高さ検知ケーブル２の先端２３は、データ処理ユニット３に接続される。高さ検知ケーブル２は、コンクリート打設が終了したとき、そのままコンクリートの中に埋設されて残る。高さ検知ケーブル２は、打設コンクリートの中に残し、コンクリートから出た高さ検知ケーブル２の部分を切断して取る。よって、高さ検知ケーブル２は使い捨てである。
【００１９】
データ処理ユニット３は、高さ検知ケーブル２に接続されて、高さ検知ケーブル２を流れる電流を測定し、測定結果を、他の機器、利用者へ送信するための装置である。データ処理ユニット３は、バッテリ３１、電流測定器３２、データ変換器３３、データ送信機３４等からなる。バッテリ３１は、高さ検知ケーブル２とデータ処理ユニット３に電源供給を行うための電源である。
【００２０】
データ処理ユニット３への電源供給は、電源コンセントに接続して行うことができるが、建設現場は多数のデータ処理ユニット３を必要とし、それぞれまでにコンセントケーブルを引くことになり現実的ではない。よって、本例では、データ処理ユニット３への電源供給はバッテリ３１を採用する。バッテリ３１は、データ処理ユニット３に必要な電源供給ができるものであれば、任意のバッテリが利用できる。例えば、１．５Ｖ，５Ｖ，９Ｖ，１２Ｖ等のアルカリイオン電池、鉛電池、リチウムイオン電池等のバッテリが利用できる。
【００２１】
電流測定器３２は、高さ検知ケーブル２に接続されて、高さ検知ケーブル２に流れる電流を測定するための機器である。本例では、図１に図示したように、高さ検知ケーブル２、バッテリ３１、電流測定器３２は直列で接続されている。バッテリ３１から流れる電流は、高さ検知ケーブル２を流れて、電流測定器３２を流れながら検知される。電流測定器３２は、測定した測定データを、データ変換器３３に渡し、データ変換器３３は測定データをデータ送信用に変換する。
【００２２】
電流測定器３２がアナログ測定器の場合、データ変換器３３は測定データをディジタルデータに変換し、データ送信用の送信データに変換する。電流測定器３２がディジタル測定器の場合、データ変換器３３は測定データをデータ送信用の送信データに変換する。データ変換器３３は送信データをデータ送信機３４へ渡し、データ送信機３４は無線通信で、送信データを他の機器へ送信する。本発明において、無線通信は、任意の通信規格を利用することができる。例えば、Wi-Fi（登録商標）、Bluetooth（登録商標）等が利用できる。
【００２３】
データ送信機３４から送信された無線通信データは、利用者が操作する計算機４へ送信される。計算機４は、無線通信データを受信し、無線通信データから測定された電流信号を取り出し、この電流信号からコンクリート打設の高さを求めて表示器に表示する。利用者は、計算機４の表示器に表示されるコンクリート打設の高さを見て、生コンクリートの打設状況を把握し、生コンクリートの打設作業を制御することができる。
【００２４】
計算機４は、現場で設置された複数のコンクリート打設高さ測定装置１によって測定された複数のコンクリート打設場所を同時に表示する。利用者は、これらの複数の場所の状況を見て、コンクリート打設ができた部分、コンクリート打設が足りない場所を同時に確認することができ、生コンクリートを流し込む機械を制御する。データ送信機３４から計算機４への直接無線通信でデータ通信しても良いが、図１に図示したように、中継器５、通信ネットワーク６を介してデータ通信を行うこともできる。
【００２５】
中継器５は、データ送信機３４から無線通信データを受信して、これを通信ネットワーク６を介して計算機４へ送信する機器である。中継器５はルータ又はファイル転送専用機器であっても良い。中継器５は、データ送信機３４と無線通信するための無線通信機９と、通信ネットワーク６に無線又は有線で接続されるネットワーク機器１０からなる。通信ネットワーク６は、ＬＡＮ，ＷＡＮ，インターネット，携帯電話網等の任意の通信ネットワークが利用できる。
【００２６】
計算機４はこの通信ネットワーク６に接続されてデータ通信できる場所に設置される。計算機４は、中央処理装置、メモリ、入力装置、出力装置等を備えた汎用の電子計算機であり、オペレーティングシステムによって制御されて動作する。計算機４としては、デスクトップ型パーソナルコンピュータ、ノート型パーソナルコンピュータ、サーバ等が利用できる。計算機４の代わりに、携帯でき、現場でも利用可能な、タブレット計算機７、スマートフォン８等も利用することができる。
【００２７】
計算機４、タブレット計算機７、スマートフォン８等は、コンクリート打設高さを表示し、確認できるように、専用のアプリケーションソフトウェア又はモジュールが動作する。本発明は、中継器５、通信ネットワーク６、無線通信機器９、ネットワーク機器１０、計算機４、タブレット計算機７、スマートフォン８の発明ではないので、その詳細な構造及び動作については省略する。
【００２８】
図２は、高さ検知ケーブル２を用いてコンクリート打設の高さを検知する原理を示す概念図である。図２に図示したように、高さ検知ケーブル２とバッテリ３１と電流測定器３２が直列に接続されている。高さ検知ケーブル２は、電線２４，２５の２本の導線からなり、終端２２ではこの２本の電線２４，２５が互いに接続されている。電線２４，２５がそれぞれ電流測定器３２とバッテリ３１に接続されている。電線２４は、通常の電気導線である。
【００２９】
電線２５は、抵抗器を直列に接続されてなる電気導線である。電線２５を構成する抵抗器は、任意の抵抗値を有する抵抗器を用いることができるが、同一抵抗値の抵抗器であることが好ましく、本例では同一抵抗値を有する抵抗器を採用した。この抵抗器が配置されている高さ検知ケーブル２の部分は、上述のケーブル部２０に相当する。センサー部２１は、電線２４と電線２５を短絡させるためのスイッチである。電気回路において、直列の場合、回路の抵抗値は、抵抗器の値の足し算になる。
【００３０】
よって、高さ検知ケーブル２を電流が流れている場合、この電流が流れている部分の抵抗値は、この部分の全抵抗器の抵抗値の和になる。例えば、高さ検知ケーブル２の終端２２までに電流が流れている場合、抵抗値は、抵抗器Ｒ１からＲｎまでの全抵抗器の和になる。高さ検知ケーブル２に印加される電圧を一定のＶｃとすると、流れる電流Ｉｎが次の式１で表される。
【数１】
2018040681.tif 000003
【００３１】
電線２４と電線２５が参照番号２６ｍで示す場所で短絡すると、電流がこのセンサー部２１ｍまでしか流れず、抵抗値は、Ｒ１からＲｍまでの抵抗値の合計になる高さ検知ケーブル２に印加される電圧を一定のＶｃとすると、流れる電流Ｉｍが次の式２で表される。
【数２】
2018040681.tif 000004
【００３２】
高さ検知ケーブル２は、コンクリートが充填されて上昇するに連れて、センサー部２１が一番下側から上へと一つずつ短絡していく。抵抗器が少なくなると流れる電流が大きくなる。これにより、電流を測定することで、短絡が起こった場所を特定できる。センサー部２１は、短絡が起こり易くするために、参照番号２６で示すように電線２４と電線２５が短絡するための部材を設けている。この部材２６は、図中、電線２４と接続された導電体であり、電線２５のセンサー部２１が外側から外力で押し込まれると接続されて短絡する。
【００３３】
また、電線２５が電線２４へ押し込まれて短絡しても良い。この仕組みは、様々なやり方を採用する。センサー部２１は、防水構造にしている。センサー部２１は、生コンクリートによる相当な圧力で凹み又は押し込まれて短絡を起こす。センサー部２１は、人間の手で軽く押す、又は、高さ検知ケーブル２自体が型枠等に接触するだけで短絡しない構造にする必要がある。センサー部２１は、水中や泥等の中では短絡しない構造にする必要がある。
【００３４】
図３は、データ処理ユニット３の外観の例を図示している。データ処理ユニット３は、打設コンクリートに埋め込まれず、再利用できる。データ処理ユニット３の筐体には、データ処理ユニット３に電源を接続し動作開始するためのスイッチ３５、高さ検知ケーブル２を接続するための接続端子３６，３７、動作状態を表示するための表示ランプ３８，３９がある。
【００３５】
表示ランプ３８は、バッテリ３１の状態を示す。表示ランプ３９は、コンクリート打設高さ測定装置１が正常に動作し、データ処理ユニット３が測定データを送信している状況を示す。データ処理ユニット３は、図示しないが、持ち運び用の取っ手、型枠等に吊るすためのハンガー手段を有する。
【００３６】
図４は、本発明のコンクリート打設高さ測定装置１の運用状態の一例の概要を示している。図４は、場所打ち杭を建造する場合の例である。軟弱な地盤に構造物を建設するとき、地盤に深く杭を打ち込み、構造物を支える基礎を造る。これを杭基礎と言い、場所打ち杭による工法で建造される。この場所打ち杭とは、杭を打ち込む地盤を掘削して円筒状の鉄筋を落とし込み、その穴の中にコンクリートを流し込んで固めるものである。
【００３７】
図４に図示したように、地盤に掘削した穴５０に、円筒状鉄筋５１を落とし込んで設置している。図中に円筒状鉄筋５１を概念的に示しているが、現場では、多数の鉄棒で円筒状の鉄筋を組み建てている。円筒状鉄筋５１に沿って高さ検知ケーブル２を設置している。高さ検知ケーブル２の終端は、円筒状鉄筋５１の底、又は、穴５０の底までに設置されている。データ処理ユニット３は、穴５０外側に配置されている。
【００３８】
この準備ができたら、生コンクリートを流し込むためのトリミー管５２を円筒状鉄筋５１の中に入るように設置し、生コンクリート搬送車（図示せず。）からポンプ（図示せず。）等で生コンクリートをトリミー管５２に流し込む。生コンクリートは、矢印で示したようにトリミー管５２の先端５２から出て流れ、穴５０の底、壁面まで流れて、穴５０を充填しながら上昇して溜まる。穴５０に生コンクリートが充填しその表面が上昇すると、トリミー管５２を上へ引き上げ、生コンクリートの流し込みを続ける。
【００３９】
この溜まった生コンクリートは参照番号５３で示している。生コンクリートが穴５０に溜まると、その溜まった部分が高さ検知ケーブル２に液体圧力を加え、センサー部２１を押し込み、センサー部２１内の電線２４と電線２５が接触して短絡する。そして、データ処理ユニット３は、高さ検知ケーブル２に流れる電流を測定して、無線通信で常時又は一定期間毎に送信する。
【００４０】
図５は、本発明のコンクリート打設高さ測定装置１の運用状態の概要の他の例を示している。図５は、建造物の基礎を建造する場合の例である。建造物を建設するとき、基本的に地盤に基礎を建設する。基礎は、地盤に大規模な穴５６を掘り、鉄筋（図示せず。）を組み設置して、その中に生コンクリートを流し込む。図５は、この鉄筋に沿って、高さ検知ケーブル２を設置している様子を概念的に図示している。高さ検知ケーブル２の終端は、鉄筋の底、言い換えると穴の底までに設置される。
【００４１】
データ処理ユニット３は、鉄筋の上端部等に設置される。この準備ができたら、コンクリート打設用圧送車から専用ホースで生コンクリートを流し込む。まず、コンクリート打設用圧送車のホース５５を鉄筋の間に入るように設置し、生コンクリートをトリミー管５２ａから流し込む。矢印で示したように、生コンクリートはホース５５からその真下に流れ、そこから横へ流れる。この例では、生コンクリート５４ａから生コンクリート５４ｂへ流れる。
【００４２】
生コンクリートが溜まると、その溜まった部分で、高さ検知ケーブル２に圧力を加え、センサー部２１を押し込み短絡させる。そして、データ処理ユニット３は、高さ検知ケーブル２に流れる電流を測定して、無線通信で常時又は一定期間毎に送信する。生コンクリートは粘性が相当あるので、水のように容易に流れない。図５の中で、生コンクリート５４ａは、ホース５５の真下の部分では所定の高さの表面になるが、右側は横へ少し流れ表面が低くなっている。
【００４３】
生コンクリート５４ａが所定の高さになったら、ホース５５の場所を少しずつ右へ移動させながら生コンクリートを流し込む。このときの生コンクリートは、参照番号５４ｃで示す破線の下部である。生コンクリートは、所定の高さｈで、順番に充填する。この高さは、利用者が高さ検知ケーブル２による測定結果を見ながら行う。
【００４４】
図６は、高さ検知ケーブル２の一例を図示している。図６には、高さ検知ケーブル２のケーブル部２０とセンサー部２１の概要を図示している。高さ検知ケーブル２は、電線２４と電線２５を被覆した被覆材料からなる被覆層４０と、押しボタン４１と、押しボタン４１を固定する固定用被覆層４２からなる。高さ検知ケーブル２のケーブル部２０は、その中に抵抗器２０ａを有する。
【００４５】
ケーブル部２０の電線２４と電線２５は、図６に示すように被覆材料で絶縁されている。しかし、電線２４と電線２５がそれぞれ絶縁膜を有し隣接して、被覆材料で覆われても良い。センサー部２１の中を通っている電線２４と電線２５は、互いに接触し電気的に短絡ができるように、絶縁膜を有せず、導線のままで、互いに所定距離離れている。センサー部２１は、この部分の被覆層４０に孔が開いており、この部分に押しボタン４１が設置されている。
【００４６】
押しボタン４１の頭部は、固定用被覆層４２に接着されていて、固定用被覆層４２の表面からから凸状に外側へ出っ張っている。押しボタン４１の底４５は、電線２５に接触する。押しボタン４１が頭部から押されると、その底４５が電線２５を押し込み、電線２５ａ，４５ａで示すように電線２４と接触する。図中、押しボタン４１が押し込まれた様子を参照番号４１ａで示す破線で図示している。押しボタン４１が押し込まれると、固定用被覆層４２が凹み、破線４２ａで示すように中へ凹む。外部の圧力が無くなると、電線２５ａが元の位置に戻り、言い換えると、押しボタン４１と固定用被覆層４２が元の位置に戻り、電線の短絡がなくなる。
【００４７】
図７は、高さ検知ケーブル２の他の一例を図示している。図７に図示した高さ検知ケーブル２は図６と基本的に同じ構造であるが、センサー部２１の押しボタン４１は、突起部４３を有する。押しボタン４１が頭部から押されると、その底４５が電線２５を押し込み、電線２５ａで示すように電線２４と接触する。そして、突起部４３が参照番号４３ａで示すように、被覆層４０に設けた凹部４４に入り込み、ロックされる。外部の圧力が無くなっても、電線２５ａが元の位置に再び戻らない。
【００４８】
〔その他〕
計算機４、タブレット計算機７、スマートフォン８等には、打設スピード、生コンクリートの残量等が表示される。データ処理ユニット３はできる限り小型化が好ましい。
高さ検知ケーブル２のセンサー部２１の間隔は、任意に設定できるが、生コンクリートを打設する一層分の高さ又はその半分の高さが好ましい。
【００４９】
例えば、センサー部２１の間隔は、１０〜５０ｃｍである。この間隔が生コンクリートを打設する層になることが好ましい。言い換えると、図５に図示した生コンクリートを一回の作業で打設する高さｈである。高さ検知ケーブル２の長さは、現場の特徴に合わせて任意に調整することができるが、実用的に２ｍ以上の長さが好ましい。
【産業上の利用可能性】
【００５０】
本発明は、道路、高速道路等の土木工事、大型建造物の床のコンクリート打設等の分野に利用すると良い。
【符号の説明】
【００５１】
１…コンクリート打設高さ測定装置
２…高さ検知ケーブル
３…データ処理ユニット
４…計算機
７…タブレット計算機
８…スマートフォン
９…無線通信機
１０…ネットワーク機器
２０…ケーブル部
２０ａ…抵抗器
２１…センサー部
２２…（高さ検知ケーブル２の）終端
２３…（高さ検知ケーブル２の）先端
２４，２５…（高さ検知ケーブルの）電線
３１…バッテリ
３２…電流測定器
３３…データ変換器
３４…データ送信機
３６，３７…接続端子
３８，３９…表示ランプ
４０…被覆層
４１…押しボタン
４２…固定用被覆層
４３…突起部
４４…凹部
５０，５６…穴
５１…円筒状鉄筋
５２…トリミー管
５３，５４ａ，５４ｂ，５４ｃ…生コンクリート
５５…（コンクリート打設用圧送車の）ホース
【図１】
2018040681.tif 000005
【図２】
2018040681.tif 000006
【図３】
2018040681.tif 000007
【図４】
2018040681.tif 000008
【図５】
2018040681.tif 000009
【図６】
2018040681.tif 000010
【図７】
2018040681.tif 000011